(57)【要約】【課題】  未利用の海浜を利用して、岩海苔の収量を増大させる。【解決手段】  傾斜させて配した岩海苔の育成板１１と、この育成板の上縁に沿った回転軸２２を介して回動可能に配した散水用容器２０と、この散水用容器に海水を供給する給水装置（３０、３１、３３、３６、３７）と、前記回転軸を、タイマ装置４４を介して所定間隔で駆動するモータ装置４１とを備える。傾斜させた育成板１１に対して所定タイミングをもって海水を与えることにより、海浜の飛沫帯に養殖ブロックを設置した場合と略同様の育成環境を実現する。【選択図】    図１
0003122068.tif 000002
【実用新案登録請求の範囲】
【請求項１】
傾斜させて配した岩海苔の育成板と、
この育成板の上縁に沿った回転軸を介して回動可能に配した散水用容器と、
この散水用容器に海水を供給する給水装置と、
前記回転軸を、タイマ装置を介して所定のタイミングで間欠的に回動させる駆動装置とを備えることを特徴とする食用岩海苔の養殖装置。
【請求項２】
散水用容器は、育成板の上縁に沿った長尺の樋形であることを特徴とする請求項１記載の食用岩海苔の養殖装置。
【考案の詳細な説明】
【技術分野】
【０００１】
本考案は、食用岩海苔を人為的に育成し、収量を増大させるための装置に関する。
【背景技術】
【０００２】
食用岩海苔は、紅藻類アマノリ属の食用海藻であり、主として外洋の岩場に生育する。食用の岩海苔は、うまみ成分を多く含み、風味豊かなことで珍重されるが、収量が少なく高額であるため、種の異なる「にせもの岩のり」が土産物店などに出回っているのが実状である。これは、普通の海苔をバラ干し形態に仕上げたもので、見かけは岩海苔を使用した板海苔にみえる。しかし風味が違う。
【０００３】
岩海苔を人為的に養殖しようとする試みは従来からある。例えば、海苔網と称される網に、タネ付けされたカキ殻を括りつけて海中に設置する等である。岩海苔はカキ殻に胞子を付着させて育つことも多いため、海苔網にタネ付けしたカキ殻を括りつけて設置すればよいと考えられるため、このような養殖を行う事業者も少なくない。
【０００４】
しかし、岩海苔は、海水温度が低い厳冬期に成長し、晩冬から春先の早朝に収穫するため、網の繰り出しや巻き取りを要する作業は非常に厳しい。生産者の高齢化に伴う作業時の転落事故や死亡事故も少なくない。このため、海苔網を用いた養殖は、当初期待されたほど収量はのびていない。
【０００５】
作業の容易化と安全を高めるよう、本出願人は、特許文献１に示す養殖ブロックを提案した。これは、重量のある架台に板状部材を着脱自在に配するものである。この養殖ブロックは、海岸の飛沫帯に配設し、干潮時、満潮時に自然の海水を受けることで岩海苔の育成を図るものである。
【特許文献１】特開２００３−２８９７４５号
【考案の開示】
【考案が解決しようとする課題】
【０００６】
特許文献１のような養殖ブロックは、養殖作業の効率化と安全の点では優れているが、飛沫帯に設置する養殖ブロックの数が限定されるという難がある。
【０００７】
飛沫帯は、干潮時に海水が引き、満潮時には海水が満ち、中間時には好ましい状態で波しぶきを受ける場所である。このような場所は、自然の海岸線には少なくないが、養殖事業主が確保でき安全に作業できる場所は限られる。
【０００８】
また、養殖ブロックは重量物であり、設置後の位置変更は難しい。天候や海の状態に応じて位置調整を行いたい場合でも、重量物の移動には費用がかかるため、当初設置した状態のまま岩海苔の生長を待たなければならない。
【０００９】
そこで、本考案の目的は、利用できる飛沫帯の面積や設置位置に影響を受けることなく、岩海苔の収量を増大可能とする点にある。
【課題を解決するための手段】
【００１０】
前記問題を解決するため、本考案に係る食用岩海苔の養殖装置は、傾斜させて配した岩海苔の育成板と、この育成板の上縁に沿った回転軸を介して回動可能に配した散水用容器と、この散水用容器に海水を供給する給水装置と、前記回転軸を、タイマ装置を介して所定間隔で駆動するモータ装置とを備える（請求項１）。
【００１１】
この装置は、傾斜させた育成板に対して所定タイミングをもって海水を与えることにより、海浜の飛沫帯に養殖ブロックを設置した場合と略同様の育成環境を実現するものである。
【００１２】
このため、傾斜させた育成板の上縁に海水の散水用容器を設け、その回転軸をタイマ装置を介して所定の作動タイミングをもって駆動し、海水が入った散水用容器を傾けて育成板の上に海水を流す。
【００１３】
請求項２は、散水用容器の形を、長尺の樋型とする場合である。育成板に対して海水を供給するためには散水用容器の形状は問わないのであるが、育成板の上縁に沿った長尺の樋形とすれば、均等量の海水を育成板の上縁から与えることが可能となるので、収量の多い部分と少ない部分といった不均衡を解消できる。
【考案の効果】
【００１４】
本考案に係る養殖装置によれば、飛沫帯（海岸線）から若干離れた場所にも装置を設置できるため、利用できる飛沫帯あるいは海岸線の形状、起伏に影響を受けることなく、多数の装置を設けて稼働でき、岩海苔の収量を確実に増大させることが可能となる。散水用容器を傾けて育成板に海水を供給すると、シャワー散水やノズル散水に較べてポンプの小型化を図れる利点がある。
【考案を実施するための最良の形態】
【００１５】
図１は、本考案に係る食用岩海苔の養殖装置の実施形態を示すものである。この養殖装置は、架台１０の上に育成板１１を傾斜させて配置し、育成板１１の上縁近傍に散水用容器２０を設けてなる。また、散水用容器２０に対して海水を供給するための給水装置、および散水用容器２０を間欠的に駆動して育成板１１に海水を与えるための駆動装置とを備える。
【００１６】
散水用容器２０は、例えば、育成板１１の上縁に沿って配した長尺の樋形容器を用い、その長手方向に配した回転軸２２に連動して回動可能とする。この散水用容器２０を用いて、育成板１１に対する海水の間欠的な供給を行うことにより、飛沫帯の波しぶきと同様の給水効果を果たすことが出来る。一度に多量の海水を与えるのではなく、少量の海水を繰り返し間欠的に育成板１１に与えることが出来るからである。
【００１７】
育成板１１は、例えばコンクリートブロックや石板のように岩海苔の胞子を付着させやすい材料を用いる。表面に微小孔があれば樹脂板でも岩海苔の胞子を活着させることができる。表面は必ずしも平滑でなくとも良い。多少の凹凸があっても散水用容器２０から供給する海水を下方に自然流下させることが出来るからである。
【００１８】
次に、散水用容器２０に対して海水を供給するための給水装置を説明する。給水装置は、例えば、散水用容器２０の近傍に配した海水貯留タンク３０と、海水貯留タンク３０に海水を導く導入管３３と、海水を汲み上げるためのポンプ３１とを備えるとともに、海水貯留タンク３０に蓄えた海水を散水用容器２０に送り込むための送出管３６とポンプ３７とによって構成する。なお、３４は、導入管３３の経路上に設けた逆止弁、３８は、送出管３６の経路上に設けた流量調整弁である。
【００１９】
海水貯留タンク３０は、それほど大きな容量を必要としない。育成板１１に対して間欠的に海水を与える散水用容器２０に、過不足なく海水を供給できれば良いからである。従って、導入管３３の経路上に配するポンプ３１も、いわゆる大型ポンプである必要はない。実際に使用するポンプ３１の吸排水能力は、導入管３３の長さに応じて選択的に決定する。
【００２０】
一方、海水貯留タンク３０の海水を散水用容器２０に送り込む送出管３６は、通常、１〜５メートル程度の短い距離で済む。従って、送出管３６の経路上に設けるポンプ３７は、非常に小さなものでよい。例えば、秒間５〜２０リットル程度の吸排水能力があれば通常の実用には耐える。散水用容器２０は、自然の波しぶきに類似させて多量の散水を行うときでも、数秒〜数十秒おきの間欠的な動作で水を放出するようにしてあり、常時多量の海水を育成板１１に与えるわけではないからである。
【００２１】
散水用容器２０を間欠的に駆動して育成板１１に海水を与えるための駆動装置は、例えば、次のように構成する。すなわち、駆動装置は、例えば、散水用容器２０を支持する回転軸２２を所定の角度範囲で反復して回動させるモータ装置４１と、該モータ装置４１に対する電源供給タイミングを制御するタイマ装置４４とによって構成する。
【００２２】
このようにタイマ装置４４と、当該タイマ装置４４によってオンオフを制御されるモータ装置４１とを用いて回転軸２２を駆動するのが最も経済的な装置構成である。散水用容器２０は、内部に蓄えた海水を回動に伴って育成板１１に与えた後、もとの姿勢に復帰して再び海水を貯め、再び回動に伴って育成板１１に海水を与える。このような反復運動を実現するとき、他の機構を利用するよりも、タイマ装置４４を用いてモータ装置４１を単純に往復回動させることが経済的であり故障確率も少なく望ましい。
【００２３】
かかる構成によれば、散水用容器２０に蓄えた海水を間欠的に岩海苔の育成板１１に対して供給でき、育成板１１の上に育つ岩海苔を、飛沫帯と略同様の環境に置くことが出来る。このため、岩海苔の養殖業者が広い面積の飛沫帯を占有できないような場合でも、数多くの装置を設置することによって天候や波しぶきのような各種の自然環境に影響を受けることなく、より多くの収量を獲得することが可能となる。
【００２４】
架台１０は、飛沫帯のように自然の海水にさらされる場所に設置するときには重量物とする必要があるが、自然の波が届かない海岸線から離れた場所に設置するときには軽量のものであって構わない。このため、装置コストも低減できるし、設置作業や移動、撤去の作業も容易となる。
【００２５】
図２は、本考案に係る食用岩海苔の養殖装置の第二の実施形態を示すものである。この装置は、育成板１１の下縁近傍に、流下してきた海水を受け止める受水樋５１を備えるとともに、この受水樋５１で受け止めた海水を海に戻すための排水管５２および排水ポンプ５４を備える。また、配水管５２に切替弁５５を設けて分岐排水管５８を設けてある。岩海苔を採取するときに当該切替弁５５によって海水の流路を切り換えることにより、受け籠５７に岩海苔を納めるようにするためである。なお、図１と同一の部分は同一の符号を付して重複する説明を省略する。
【００２６】
受水樋５１は、育成板１１の下縁に沿って配する。流下してくる海水をもれなく受け止めるようにするためである。排水管５２によって随時海水の排出ができるので、受水樋５１は散水用容器２０と同程度の容積をもっていれば良い。排水ポンプ５４は、排水管５２の距離が長いときに設けるだけでよい。排水管５２の距離が短い場合は、排水ポンプ５４を設けるまでもなく、重力による自然流下によって海水を海に戻すこともできるからである。
【００２７】
切替弁５５と受け籠５７は、岩海苔の採取に役立つ。育成板１１に育った岩海苔の根元を切断し、散水用容器２０から海水を流せば、海水を受け籠５７の方向に導き、分岐排水管５８の端末開口近傍に配した受け籠５７に岩海苔を簡単に納めることが出来るからである。受け籠５７は水切りの良いザル状のものを使用することが望ましい。
【００２８】
かかる構成によれば、食用岩海苔の養殖装置が海岸線から若干離れた場所にあっても、育成板１１に対する海水の間欠的供給と、海水の海へのフィードバックを行うことが出来るので、養殖業者は設置台数を任意に増やすことが可能となる。また、岩海苔の収穫作業も簡単であるから、大きな作業負担も受けない。
【００２９】
このように、飛沫帯ではない未利用海浜を有効に利用して岩海苔の養殖が行えるため、育成板１１の周囲をネット材や透明ビニル等の保護材で囲うことも容易となる。育成板１１を飛沫帯に配する従来の養殖装置では、ネット材や保護材を支持するポール（脚）が波にさらされるため設置が難しかったが、海水が届かない場所であればネット材や保護材を支持するポールの設置も可能であり、渡り鳥のような保護鳥による岩海苔の補食被害も防止しやすくなる。また、岩海苔が生長する冬場の雪による被害からも、岩海苔を護りやすくなる。
【００３０】
なお、本願考案に係る食用岩海苔の養殖装置は、前記説明のものに限定されない。例えば、散水用容器２０に対して海水を供給するための給水装置は、必ずしも海水貯留タンクを必要としない。散水用容器２０に対して常時海水を供給する構造であっても、散水用容器２０オーバーフローした海水を海に戻す流水経路を設けておけば良いからである。
【００３１】
また、散水容器２０は、複数に分割しても良い。例えばバケツのように、小容量の容器を用いても育成板１１に対する散水は可能である。樋形の散水容器２０を用いる場合でも、容器の内部に補強板のような隔壁を設けて複数のブロックに分割しても良い。
【００３２】
図１を用いた説明では、タイマ装置４４を用いてモータ装置４１を往復回動させる旨説明したが、散水用容器２０を支持する回転軸２２の駆動は往復回動に限定されない。同一方向に散水用容器２０を回転させ、その途中で海水を育成板１１に与えた後、同一方向に回って基本姿勢で待機しつつ海水の貯留を行い、その後、同一方向に回転して再び基本姿勢で待機しつつ海水の貯留を行う動作を繰り返しても良いからである。
【図面の簡単な説明】
【００３３】
【図１】第一の実施形態に係る食用岩海苔の養殖装置を例示する図である。
【図２】第二の実施形態に係る食用岩海苔の養殖装置を例示する図である。
【符号の説明】
【００３４】
１０  架台
１１  育成板
２０  散水用容器
２２  回転軸
３０  海水貯留タンク（給水装置）
３１、３７  ポンプ（給水装置）
３３  導入管（給水装置）
３４  逆止弁
３６  送出管（給水装置）
３８  流量調整弁
４１  モータ装置（駆動装置）
４４  タイマ装置（駆動装置）
５１  受水樋
５２  排水管
５４  排水ポンプ
５５  切替弁
５７  受け籠
５８  分岐排水管
【図１】
0003122068.tif 000003
【図２】
0003122068.tif 000004